(57)【要約】【課題】光ケーブルと電気ケーブルとを用いたコネクタ付ケーブルにおいて、簡易な構成でその信頼性を確保する。【解決手段】光コネクタ１４の接続面１４Ｃから第２装置４２までの長さＬ１を、電気コネクタ１２の接続面１２Ｃから第２装置４２までの長さＬ２より長くする。これにより、電気コネクタ１２及び光コネクタ１４が第１装置に接続されると共に、電気ケーブル２２が伸長した状態において、光ケーブル２４にたるみ（あそび）が形成される。このため、光ケーブル２４及び電気ケーブル２２が同時に引っ張られた際に、強度の強い電気ケーブル２２にストレスがかかり、光ケーブル２４にはストレスがかからない。このため、引っ張り強度の弱い光ケーブル２４は保護される。【選択図】図４
2007165233.tif 000002
【特許請求の範囲】
【請求項１】
第１装置に接続される電気コネクタと、
前記第１装置に接続される光コネクタと、
一端部が前記電気コネクタに接続され、他端部が第２装置に接続された電気ケーブルと、
一端部が前記光コネクタに接続され、他端部が前記第２装置に接続された光ケーブルと、
を備え、
前記電気ケーブルと前記光ケーブルをそれぞれ伸張したとき、前記第２装置に接続された前記光ケーブルの端部から前記光コネクタの接続面までの長さが、前記第２装置に接続された前記電気ケーブルの端部から前記電気コネクタの接続面までの長さより長くなるように、前記電気ケーブルと前記光ケーブルの長さ又は前記電気コネクタと前記光コネクタの長さが調整されたことを特徴とするコネクタ付ケーブル。
【請求項２】
第１装置に接続される電気コネクタと、
前記第１装置に接続される光コネクタと、
第２装置に接続される光電気ハイブリッドコネクタと、
一端部が前記電気コネクタに接続され、他端部が前記光電気ハイブリッドコネクタに接続された電気ケーブルと、
一端部が前記光コネクタに接続され、他端部が前記光電気ハイブリッドコネクタに接続された光ケーブルと、
を備え、
前記電気ケーブルと前記光ケーブルをそれぞれ伸張したとき、前記光コネクタの接続面から前記光電気ハイブリッドコネクタの接続面までの長さが、前記電気コネクタの接続面から前記光電気ハイブリッドコネクタの接続面までの長さより長くなるように、前記電気ケーブルと前記光ケーブルの長さ又は前記電気コネクタと前記光コネクタの長さが調整されたことを特徴とするコネクタ付ケーブル。
【請求項３】
前記光コネクタの長さは、前記電気コネクタの長さより長いことを特徴とする請求項１又は請求項２に記載のコネクタ付ケーブル。
【請求項４】
前記光ケーブルの長さは、前記電気ケーブルの長さより長いことを特徴とする請求項１又は請求項２に記載のコネクタ付ケーブル。
【請求項５】
前記光ケーブルの長さは、前記電気コネクタと前記光コネクタが前記第１装置に接続されたときの前記電気ケーブルと前記光ケーブルの間隔以上に、前記電気ケーブルの長さより長いことを特徴とする請求項４に記載のコネクタ付ケーブル。
【請求項６】
前記光ケーブルの長さは、前記光コネクタと前記電気コネクタの長さの差分以上に、前記電気ケーブルの長さより長いことを特徴とする請求項４又は請求項５に記載のコネクタ付ケーブル。
【請求項７】
前記電気ケーブルと前記光ケーブルは、前記電気コネクタ又は前記光コネクタに至る途中まで、１つのケーブルとしてまとめられていることを特徴とする請求項１〜６の何れか１項に記載のコネクタ付ケーブル。
【請求項８】
前記電気コネクタと前記光コネクタは、一体に形成されていることを特徴とする請求項１〜７の何れか１項に記載のコネクタ付ケーブル。
【発明の詳細な説明】
【技術分野】
【０００１】
本発明は、装置に接続されるコネクタとそのコネクタに接続されたケーブルとを備えたコネクタ付ケーブルに関する。
【背景技術】
【０００２】
コネクタ付ケーブルとしては、装置に接続されるコネクタと、そのコネクタに接続され電気信号を伝送する電気ケーブルと、を備えたコネクタ付電気ケーブルが周知である。
【０００３】
しかしながら、電気ケーブルでは、データの伝送速度が高速になると、電気ケーブルから放射ノイズが発生するため、シールド等のノイズ対策が必要となりコストアップとなっていた。
【０００４】
そこで、光信号を伝送する光ケーブルを使用することによって、放射ノイズの発生を防ぎ、さらに、光ケーブルにプラスチック光ファイバ（ＰＯＦ）を使用することにより、接続が容易で比較的安価なシステムを実現していた。
【０００５】
また、装置の光端子及び電気端子に同時に接続できるハイブリッドコネクタと、そのハイブリッドコネクタに接続された電気ケーブル及び光ケーブルと、を備えたハイブリッドコネクタ付ケーブルが提案されている（特許文献１）。
【特許文献１】特開２００４−３９２５８号公報
【発明の開示】
【発明が解決しようとする課題】
【０００６】
しかしながら、光ケーブルはプラスチックやガラスなどの光ファイバが用いられるのに対して、電気ケーブルは、銅やアルミなどの金属線が用いられているため、光ケーブルは、電気ケーブルに比べて機械的強度が弱いという問題があった。そのため、光ケーブルと電気ケーブルとを用いたコネクタ付ケーブルにおいて信頼性を確保するのが困難だった。
【０００７】
本発明は、上記事実を考慮し、光ケーブルと電気ケーブルとを用いたコネクタ付ケーブルにおいて、簡易な構成でその信頼性を確保することを目的とする。
【課題を解決するための手段】
【０００８】
本発明の請求項１に係るコネクタ付ケーブルは、第１装置に接続される電気コネクタと、前記第１装置に接続される光コネクタと、一端部が前記電気コネクタに接続され、他端部が第２装置に接続された電気ケーブルと、一端部が前記光コネクタに接続され、他端部が前記第２装置に接続された光ケーブルと、を備え、前記電気ケーブルと前記光ケーブルをそれぞれ伸張したとき、前記第２装置に接続された前記光ケーブルの端部から前記光コネクタの接続面までの長さが、前記第２装置に接続された前記電気ケーブルの端部から前記電気コネクタの接続面までの長さより長くなるように、前記電気ケーブルと前記光ケーブルの長さ又は前記電気コネクタと前記光コネクタの長さが調整されたことを特徴とする。
【０００９】
この構成によれば、電気ケーブルの一端部が接続された電気コネクタを第１装置に接続することにより、他端部が第２装置に接続された電気ケーブルを介して、第１装置と第２装置が接続される。また、光ケーブルの一端部が接続された光コネクタを第１装置に接続することにより、他端部が第２装置に接続された光ケーブルを介して、第１装置と第２装置が接続される。これにより、第１装置と第２装置の間で、電気信号の伝送及び光信号の伝送が可能となる。
【００１０】
ここで、本発明に係る請求項１の構成では、電気ケーブルと光ケーブルをそれぞれ伸張したとき、第２装置に接続された光ケーブルの端部から光コネクタの接続面までの長さが、第２装置に接続された電気ケーブルの端部から電気コネクタの接続面までの長さより長くなるように、電気ケーブルと光ケーブルの長さ又は電気コネクタと光コネクタの長さが調整されている。
【００１１】
これにより、光ケーブル及び電気ケーブルが同時に引っ張られた際に、強度の強い電気ケーブルにストレスがかかり、光ケーブルにはストレスがかからない。このため、引っ張り強度の弱い光ケーブルは保護される。従って、本発明に係る請求項１によれば、光ケーブル及び電気ケーブルを用いた構成において、安価で簡易な構成でその信頼性を確保できる。
【００１２】
本発明の請求項２に係るコネクタ付ケーブルは、第１装置に接続される電気コネクタと、前記第１装置に接続される光コネクタと、第２装置に接続される光電気ハイブリッドコネクタと、一端部が前記電気コネクタに接続され、他端部が前記光電気ハイブリッドコネクタに接続された電気ケーブルと、一端部が前記光コネクタに接続され、他端部が前記光電気ハイブリッドコネクタに接続された光ケーブルと、を備え、前記電気ケーブルと前記光ケーブルをそれぞれ伸張したとき、前記光コネクタの接続面から前記光電気ハイブリッドコネクタの接続面までの長さが、前記電気コネクタの接続面から前記光電気ハイブリッドコネクタの接続面までの長さより長くなるように、前記電気ケーブルと前記光ケーブルの長さ又は前記電気コネクタと前記光コネクタの長さが調整されたことを特徴とする。
【００１３】
この構成によれば、電気ケーブルの一端部が接続された電気コネクタを第１装置に接続すると共に、電気ケーブルの他端部が接続された光電気ハイブリッドコネクタを第２装置に接続することにより、第１装置と第２装置が電気ケーブルを介して接続される。また、光ケーブルの一端部が接続された光コネクタを第１装置に接続すると共に、光ケーブルの他端部が接続された光電気ハイブリッドコネクタを第２装置に接続することにより、第１装置と第２装置が光ケーブルを介して接続される。これにより、第１装置と第２装置の間で、電気信号の伝送及び光信号の伝送が可能となる。
【００１４】
ここで、本発明に係る請求項２の構成では、電気ケーブルと光ケーブルをそれぞれ伸張したとき、光コネクタの接続面から光電気ハイブリッドコネクタの接続面までの長さが、電気コネクタの接続面から光電気ハイブリッドコネクタの接続面までの長さより長くなるように、電気ケーブルと光ケーブルの長さ又は電気コネクタと光コネクタの長さが設定されている。
【００１５】
これにより、光ケーブル及び電気ケーブルが同時に引っ張られた際に、強度の強い電気ケーブルにストレスがかかり、光ケーブルにはストレスがかからない。このため、引っ張り強度の弱い光ケーブルは保護される。従って、本発明に係る請求項２によれば、光ケーブル及び電気ケーブルを用いた構成において、安価で簡易な構成でその信頼性を確保できる。
【００１６】
本発明の請求項３に係るコネクタ付ケーブルは、請求項１又は請求項２の構成において、前記光コネクタの長さは、前記電気コネクタの長さより長いことを特徴とする。
【００１７】
本発明の請求項４に係るコネクタ付ケーブルは、請求項１又は請求項２の構成において、前記光ケーブルの長さは、前記電気ケーブルの長さより長いことを特徴とする。
【００１８】
本発明の請求項５に係るコネクタ付ケーブルは、請求項４の構成において、前記光ケーブルの長さは、前記電気コネクタと前記光コネクタが前記第１装置に接続されたときの前記電気ケーブルと前記光ケーブルの間隔以上に、前記電気ケーブルの長さより長いことを特徴とする。
【００１９】
この構成によれば、特に、光ケーブルが電気ケーブル側へ引っ張られた場合であっても、光ケーブルに負荷がかからず、光ケーブルは保護される。
【００２０】
本発明の請求項６に係るコネクタ付ケーブルは、請求項４又は請求項５の構成において、前記光ケーブルの長さは、前記光コネクタと前記電気コネクタの長さの差分以上に、前記電気ケーブルの長さより長いことを特徴とする。
【００２１】
この構成によれば、光ケーブルが、電気コネクタの後端の位置まで、電気ケーブル２２側へ引っ張られた場合であっても、光ケーブルに負荷がかからず、光ケーブルは保護される。
【００２２】
本発明の請求項７に係るコネクタ付ケーブルは、請求項１〜６のいずれか１項の構成において、前記電気ケーブルと前記光ケーブルは、前記電気コネクタ又は前記光コネクタに至る途中まで、１つのケーブルとしてまとめられていることを特徴とする。
【００２３】
本発明の請求項８に係るコネクタ付ケーブルは、請求項１〜７のいずれか１項の構成において、前記電気コネクタと前記光コネクタは、一体に形成されていることを特徴とする。
【発明の効果】
【００２４】
本発明は、上記構成としたので、光ケーブルと電気ケーブルとを用いたコネクタ付ケーブルにおいて、簡易な構成でその信頼性を確保することができる。
【発明を実施するための最良の形態】
【００２５】
以下に、本発明のコネクタ付ケーブルに係る実施形態の一例を図面に基づき説明する。
〔第１実施形態〕
図１に示すように、本実施形態に係るコネクタ付ケーブル１０は、第１装置２１に接続される電気コネクタ１２及び、第１装置２１に接続される光コネクタ１４を備えている。例えば、複写機や複合機に適応する場合においては、第１装置はスキャナー、第２装置はプリンターである。
【００２６】
電気コネクタ１２は、その先端部に形成されると共に電気端子を有する差込部１２Ａと、コネクタ本体１２Ｂと、を備えている。電気コネクタ１２は、差込部１２Ａが後述の電気ソケット２６に差し込まれて、第１装置２１と接続される。光コネクタ１４は、電気コネクタ１２と別体で形成されており、光コネクタ１４の先端部に形成されると共に光端子を有する差込部１４Ａと、コネクタ本体１４Ｂと、を備えている。光コネクタ１４は、差込部１４Ａが後述の光ソケット２８に差し込まれて、第１装置２１と接続される。
【００２７】
電気コネクタ１２及び光コネクタ１４は、例えば、図２（Ａ）に示すように、差込部１２Ａ、１４Ａの側部に設けられ第１装置２１と係合するラッチ部１６を備えたラッチ機構によって、第１装置２１に取り外し可能に接続される。また、電気コネクタ１２及び光コネクタ１４は、例えば、図２（Ｂ）に示すように、差込部１２Ａ、１４Ａの側部に設けられ第１装置２１にねじ止めされるねじ部２０を備えたねじ止め機構によって、第１装置２１に取り外し可能に接続される。
【００２８】
なお、電気コネクタ１２及び光コネクタ１４は、差込部１２Ａ、１４Ａが第１装置２１に差し込まれて接続される構成に限られず、磁力などの吸着力によって、電気コネクタ１２及び光コネクタ１４の先端の面が、第１装置２１に取り付けられて接続される構成であってもよい。
【００２９】
光コネクタ１４及び電気コネクタ１２が接続される第１装置２１は、図１に示すように、ＩＣチップなどの電気部品（図示省略）が配置されたプリント基板２５を備えている。このプリント基板２５には、電気コネクタ１２の差込部１２Ａが差し込まれ電気端子を有する電気ソケット２６及び、光コネクタ１４の差込部１４Ａが差し込まれ光端子を有する光ソケット２８が設けられている。電気ソケット２６及び電気コネクタ１２の電気端子の一方は、ピンが設けられたオス端子となっており、電気ソケット２６及び電気コネクタ１２の電気端子の他方は、ピンが差し込まれるメス端子となっている。
【００３０】
図３（Ａ）に示すように、電気コネクタ１２の差込部１２Ａが電気ソケット２６に差し込まれることにより、電気コネクタ１２と電気ソケット２６との間で電気信号の伝送が可能となり、光コネクタ１４の差込部１４Ａが光ソケット２８に差し込まれることにより、光コネクタ１４と光ソケット２８との間で光信号の伝送が可能となる。
【００３１】
なお、この電気ソケット２６及び光ソケット２８は、図１、図３に示すように、一体に形成されているが、別体で形成されていてもよい。
【００３２】
図１に示すように、電気コネクタ１２には、電気信号を伝送する単一の電気ケーブル２２の一端部が接続され、電気ケーブル２２の他端部は、第２装置４２に接続されている。この電気ケーブル２２は、銅、アルミニウム及びこれらの合金などの金属線と、この金属線を被覆する被覆材とで形成されている。金属線は、例えば、細線が撚り合わされて形成され、この金属線がゴム、合成樹脂などの被覆材で絶縁、被覆されることで、電気ケーブル２２が形成されている。
【００３３】
光コネクタ１４には、電気ケーブル２２と別体で形成された単一の光ケーブル２４の一端部が接続されている。光ケーブルは、プラスチックやガラスで形成された光ファイバと、この光ファイバを被覆するゴム、合成樹脂などの被覆材で形成されており、電気ケーブル２２より機械的強度が弱い構成となっている。この光ケーブル２４の他端部は、第２装置４２に接続されている。
【００３４】
この第２装置４２には、ＩＣチップなどの電気部品が配置されたプリント基板（図示省略）が備えられ、このプリント基板に、電気ケーブル２２の他端部及び光ケーブル２４の他端部が、半田などで接続固定されている。
【００３５】
ここで、本実施形態では、光コネクタ１４の長さ（詳細には、コネクタ本体１４Ｂの長さ）は、電気コネクタ１２の長さ（詳細には、コネクタ本体１２Ｂの長さ）と等しくされると共に、光ケーブル２４の長さは、電気ケーブル２２の長さより長くされている。
【００３６】
光ケーブル２４の長さは、具体的には、図３（Ｂ）に示すように、電気コネクタ１２が電気ソケット２６に差し込まれると共に、光コネクタ１４が光ソケット２８に差し込まれたときにおける電気ケーブル２２と光ケーブル２４との間隔Ｔ１以上に、電気ケーブル２２の長さよりも長くされている。例えば、図３（Ｂ）に示す間隔Ｔ１が５ｃｍであれば、光ケーブル２４の長さは、電気ケーブル２２の長さよりも、５ｃｍ以上長くされている。
【００３７】
これにより、図４に示すように、電気ケーブル２２と光ケーブル２４をそれぞれ伸張したとき、第２装置４２に接続された光ケーブル２４の端部から光コネクタ１４の接続面１４Ｃまでの長さＬ１が、図３（Ｂ）に示す間隔Ｔ１以上に、第２装置４２に接続された電気ケーブル２２の端部から電気コネクタ１２の接続面１２Ｃまでの長さＬ２より長くなっている。
【００３８】
なお、上記のように、電気コネクタ１２の差込部１２Ａを電気ソケット２６に差し込むことにより、電気ケーブル２２と第１装置２１とを接続する構成においては、電気コネクタ１２のコネクタ本体１２Ｂの先端（差込部１２Ａの後端）の面が、第１装置２１と接続する電気コネクタ１２の接続面となる。
【００３９】
また、光コネクタ１４の差込部１４Ａを光ソケット２８に差し込むことにより、光ケーブル２４と第１装置２１とを接続する構成においては、光コネクタ１４のコネクタ本体１４Ｂの先端（差込部１４Ａの後端）の面が、第１装置２１と接続する光コネクタ１４の接続面となる。
【００４０】
また、電気コネクタ１２が差込部１２Ａを有せず、磁力などの吸着力によって、電気コネクタ１２の先端の面１２Ｃが第１装置２１の電気端子に取り付けられて接続される構成においては、電気コネクタ１２の先端の面１２Ｃが、第１装置２１と接続する電気コネクタ１２の接続面となる（図５参照）。
【００４１】
また、光コネクタ１４が差込部１４Ａを有せず、磁力などの吸着力によって、光コネクタ１４の先端の面１４Ｃが第１装置２１の光端子に取り付けられて接続される構成においては、光コネクタ１４の先端の面１４Ｃが、第１装置２１と接続する光コネクタ１４の接続面となる（図５参照）。
【００４２】
次に、上記の実施形態について作用を説明する。
【００４３】
本実施形態では、電気ケーブル２２の一端部が接続された電気コネクタ１２を第１装置２１に接続することにより、他端部が第２装置４２に接続された電気ケーブル２２及び電気コネクタ１２を介して、第１装置２１と第２装置４２が接続される。また、光ケーブル２４の一端部が接続された光コネクタ１４を第１装置２１に接続することにより、他端部が第２装置４２に接続された光ケーブル２４及び光コネクタ１４を介して、第１装置２１と第２装置４２が接続される。これにより、第１装置２１と第２装置４２の間で、電気信号の伝送及び光信号の伝送が可能となる。
【００４４】
ここで、本実施形態では、電気ケーブル２２と光ケーブル２４をそれぞれ伸張したとき、第２装置４２に接続された光ケーブル２４の端部から光コネクタ１４の接続面１４Ｃまでの長さＬ１が、第２装置４２に接続された電気ケーブル２２の端部から電気コネクタ１２の接続面１２Ｃまでの長さＬ２より長くなっている（図４参照）。
【００４５】
これにより、電気コネクタ１２及び光コネクタ１４が第１装置２１に接続されると共に、電気ケーブル２２が伸長した状態において、光ケーブル２４にたるみ（あそび）が形成される（図３（Ａ）参照）。
【００４６】
このため、光ケーブル２４及び電気ケーブル２２が同時に引っ張られた際に（図６参照）、強度の強い電気ケーブル２２にストレスがかかり、光ケーブル２４にはストレスがかからない。このため、引っ張り強度の弱い光ケーブル２４は保護される。
【００４７】
また、本実施形態のおいては、光ケーブル２４の長さは、電気コネクタ１２が電気ソケット２６に差し込まれると共に、光コネクタ１４が光ソケット２８に差し込まれたときにおける電気ケーブル２２と光ケーブル２４との間隔Ｔ１以上に、電気ケーブル２２の長さよりも長くされている。
【００４８】
このため、図６に示すように、光ケーブル２４が電気ケーブル２２側へ引っ張られた場合であっても、光ケーブル２４には、負荷がかからない。
【００４９】
このように、本実施形態では、光ケーブル２４の長さを電気ケーブル２２よりも長くするという安価で簡易な構成により、光ケーブル２４と電気ケーブル２２とを用いたコネクタ付ケーブルにおいて、その信頼性を確保することができる。
【００５０】
なお、本実施形態では、光コネクタ１４の長さは、電気コネクタ１２の長さと等しくされ、光ケーブル２４の長さは、電気ケーブル２２の長さより長くされていたが、本発明の構成としては、図７に示すように、光コネクタ１４の長さが、電気コネクタ１２の長さより長くされると共に、光ケーブル２４の長さが、電気ケーブル２２の長さより長くされることにより、第２装置４２に接続された光ケーブル２４の端部から光コネクタ１４の接続面１４Ｃまでの長さＬ１が、図３（Ｂ）に示す間隔Ｔ１以上に、第２装置４２に接続された電気ケーブル２２の端部から電気コネクタ１２の接続面１２Ｃからまでの長さＬ２より長くなる構成であってもよい。
【００５１】
この構成においては、第２装置４２に接続された光ケーブル２４の端部から光コネクタ１４の接続面１４Ｃまでの長さＬ１は、図３（Ｂ）に示す間隔Ｔ１に加えて、さらに、光コネクタ１４と電気コネクタ１２の長さの差分Ｔ２以上に（図８（Ａ）参照）、第２装置４２に接続された電気ケーブル２２の端部から電気コネクタ１２の接続面１２Ｃまでの長さＬ２より長くなる構成であることが望ましい。この構成では、図８（Ｂ）に示すように、光ケーブル２４は、電気コネクタ１２の後端の位置まで、引っ張られる可能性があるため、長さＴ２分の余裕を持たせることで、光ケーブル２４が電気ケーブル２２側へ引っ張られた場合であっても、光ケーブル２４には、負荷がかからない。
【００５２】
また、光ケーブル２４の長さは、電気ケーブル２２の長さと等しくされ、光コネクタ１４の長さは、電気コネクタ１２の長さより長くされることにより、第２装置４２に接続された光ケーブル２４の端部から光コネクタ１４の接続面１４Ｃまでの長さＬ１が、図３（Ｂ）に示す間隔Ｔ１以上に、第２装置４２に接続された電気ケーブル２２の端部から電気コネクタ１２の接続面１２Ｃまでの長さＬ２より長くなる構成であってもよい。
【００５３】
また、光コネクタ１４の長さが、電気コネクタ１２の長さより短くされている構成において、光ケーブル２４の長さが、電気ケーブル２２の長さより長くされることにより、第２装置４２に接続された光ケーブル２４の端部から光コネクタ１４の接続面１４Ｃまでの長さＬ１が、図３（Ｂ）に示す間隔Ｔ１以上に、第２装置４２に接続された電気ケーブル２２の端部から電気コネクタ１２の接続面１２Ｃまでの長さＬ２より長くなる構成であってもよい。
【００５４】
また、本実施形態では、光ケーブル２４の長さが、電気ケーブル２２の長さよりも間隔Ｔ１以上長くされることにより、電気ケーブル２２と光ケーブル２４をそれぞれ伸張したとき、第２装置４２に接続された光ケーブル２４の端部から光コネクタ１４の接続面１４Ｃまでの長さＬ１が、図３（Ｂ）に示す間隔Ｔ１以上に、第２装置４２に接続された電気ケーブル２２の端部から電気コネクタ１２の接続面１２Ｃまでの長さＬ２より長くされていたが、第２装置４２に接続された光ケーブル２４の端部から光コネクタ１４の接続面１４Ｃまでの長さＬ１は、光コネクタ１４及び光ケーブル２４の全体の長さ（詳細には、コネクタ本体１４Ｂの長さ及び、光ケーブル２４の長さ）と、電気コネクタ１２及び電気ケーブル２２の全体の長さ（詳細には、コネクタ本体１２Ｂの長さ及び、電気ケーブル２２の長さ）とが調整されることにより、第２装置４２に接続された電気ケーブル２２の端部から電気コネクタ１２の接続面１２Ｃまでの長さＬ２より長くされていればよく、その長さが間隔Ｔ１以上長い場合に限られない。
【００５５】
〔第２実施形態〕
次に、本発明の第２実施形態について説明する。なお、第１実施形態と同一の部分には同一の符号を付し、説明を省略する。
【００５６】
図９に示すように、本実施形態に係るコネクタ付ケーブル５０は、第１装置２１に接続される電気コネクタ１２及び、第１装置２１に接続される光コネクタ１４を備えている。
【００５７】
電気コネクタ１２には、単一の電気ケーブル２２の一端部が接続されており、この電気ケーブル２２の他端部には、第２装置４３に接続される光電気ハイブリッドコネクタ１８が接続されている。光コネクタ１４には、電気ケーブル２２と別体で形成された単一の光ケーブル２４の一端部が接続されており、この光ケーブル２４の他端部には、光電気ハイブリッドコネクタ１８が接続されている。
【００５８】
光電気ハイブリッドコネクタ１８は、その先端部に形成され第２装置４３に差し込まれる差込部１８Ａと、ハイブリッドコネクタ本体１８Ｂと、を備えている。
【００５９】
光電気ハイブリッドコネクタ１８は、電気コネクタ及び光コネクタを一体的に形成したものであり、第２装置４３の光端子及び電気端子に同時に接続できるコネクタである。また、光電気ハイブリッドコネクタ１８は、例えば、差込部１８Ａの側部に設けられ第２装置４３と係合するラッチ部を備えたラッチ機構（図示省略）や、差込部１８Ａの側部に設けられ第２装置４３にねじ止めされるねじ部を備えたねじ止め機構（図示省略）によって、第２装置４３に取り外し可能にせつぞくされる（図２参照）。
【００６０】
なお、光電気ハイブリッドコネクタ１８は、差込部１８Ａが第２装置４３に差し込まれて接続される構成に限られず、磁力などの吸着力によって、光電気ハイブリッドコネクタ１８の先端の面が、第２装置４３に取り付けられて接続される構成であってもよい。
【００６１】
第２装置４３は、第１装置２１と同様に、ＩＣチップなどの電気部品が配置されたプリント基板４４を備えている。このプリント基板４４には、光電気ハイブリッドコネクタ１８が差し込まれ、光端子及び電気端子を有する光電気ハイブリッドソケット４８が設けられている。
【００６２】
光電気ハイブリッドコネクタ１８の差込部１８Ａが光電気ハイブリッドソケット４８に差し込まれることにより、光電気ハイブリッドコネクタ１８と光電気ハイブリッドソケット４８との間で電気信号の伝送及び光信号の伝送が可能となる。
【００６３】
ここで、本実施形態では、光コネクタ１４の長さ（詳細には、コネクタ本体１４Ｂの長さ）は、電気コネクタ１２の長さ（詳細には、コネクタ本体１２Ｂの長さ）と等しくされると共に、光ケーブル２４の長さは、電気ケーブル２２の長さより長くされている。
【００６４】
光ケーブル２４の長さは、具体的には、図１０（Ｂ）に示すように、電気コネクタ１２が電気ソケット２６に差し込まれると共に、光コネクタ１４が光ソケット２８に差し込まれたときにおける電気ケーブル２２と光ケーブル２４との間隔Ｔ１以上に、電気ケーブル２２の長さよりも長くされている。例えば、図１０（Ｂ）に示す間隔Ｔ１が５ｃｍであれば、光ケーブル２４の長さは、電気ケーブル２２の長さよりも、５ｃｍ以上長くされている。
【００６５】
これにより、図１１に示すように、電気ケーブル２２と光ケーブル２４をそれぞれ伸張したとき、光コネクタ１４の接続面１４Ｃから光電気ハイブリッドコネクタ１８の接続面１８Ｃまでの長さＬ１が、図１０（Ｂ）に示す間隔Ｔ１以上に、電気コネクタ１２の接続面１２Ｃから光電気ハイブリッドコネクタ１８の接続面１８Ｃまでの長さＬ２より長くなっている。
【００６６】
なお、上記のように、光電気ハイブリッドコネクタ１８の差込部１８Ａを光電気ハイブリッドソケット４８に差し込むことにより、電気ケーブル２２及び光ケーブル２４と第２装置４３とを接続する構成においては、光電気ハイブリッドコネクタ１８のハイブリッドコネクタ本体１８Ｂの先端（差込部１８Ａの後端）の面が、第２装置４３と接続する光電気ハイブリッドコネクタ１８の接続面となる。
【００６７】
また、光電気ハイブリッドコネクタ１８が差込部１８Ａを有せず、磁力などの吸着力によって、光電気ハイブリッドコネクタ１８の先端の面が第２装置４３の電気端子に取り付けられて接続される構成においては、光電気ハイブリッドコネクタ１８の先端の面が、第２装置４３と接続する光電気ハイブリッドコネクタ１８の接続面となる。
【００６８】
次に、上記の実施形態について作用を説明する。
【００６９】
本実施形態では、電気ケーブル２２の一端部が接続された電気コネクタ１２を第１装置２１に接続すると共に、電気ケーブル２２の他端部が接続された光電気ハイブリッドコネクタ１８を第２装置４３に接続することにより、電気コネクタ１２、電気ケーブル２２及び光電気ハイブリッドコネクタ１８を介して、第１装置２１と第２装置４３が接続される。また、光ケーブル２４の一端部が接続された光コネクタ１４を第１装置２１に接続すると共に、光ケーブル２４の他端部が接続された光電気ハイブリッドコネクタ１８を第２装置４３に接続することにより、光コネクタ１４、光ケーブル２４及び光電気ハイブリッドコネクタ１８を介して、第１装置２１と第２装置４３が接続される。これにより、第１装置２１と第２装置４３の間で、電気信号の伝送及び光信号の伝送が可能となる。
【００７０】
ここで、本実施形態では、電気ケーブル２２と光ケーブル２４をそれぞれ伸張したとき、光コネクタ１４の接続面１４Ｃから光電気ハイブリッドコネクタ１８の接続面１８Ｃまでの長さＬ１が、電気コネクタ１２の接続面１２Ｃから光電気ハイブリッドコネクタ１８の接続面１８Ｃまでの長さＬ２より長くなっている（図１１参照）。
【００７１】
これにより、電気コネクタ１２及び光コネクタ１４が第１装置２１に接続され、光電気ハイブリッドコネクタ１８が第２装置４３に接続されると共に、電気ケーブル２２が伸長した状態において、光ケーブル２４にたるみ（あそび）が形成される（図１０（Ａ）参照）。
【００７２】
このため、光ケーブル２４及び電気ケーブル２２が同時に引っ張られた際に（図６参照）、強度の強い電気ケーブル２２にストレスがかかり、光ケーブル２４にはストレスがかからない。このため、引っ張り強度の弱い光ケーブル２４は保護される。
【００７３】
また、本実施形態のおいては、光ケーブル２４の長さは、電気コネクタ１２が電気ソケット２６に差し込まれると共に、光コネクタ１４が光ソケット２８に差し込まれたときにおける電気ケーブル２２と光ケーブル２４との間隔Ｔ１以上に、電気ケーブル２２の長さよりも長くされている。
【００７４】
このため、図６に示すように、光ケーブル２４が電気ケーブル２２側へ引っ張られた場合であっても、光ケーブル２４には、負荷がかからない。
【００７５】
このように、本実施形態では、光ケーブル２４の長さを電気ケーブル２２よりも長くするという安価で簡易な構成により、光ケーブル２４と電気ケーブル２２とを用いたコネクタ付ケーブルにおいて、その信頼性を確保することができる。
【００７６】
なお、本実施形態では、光コネクタ１４の長さは、電気コネクタ１２の長さと等しくされ、光ケーブル２４の長さは、電気ケーブル２２の長さより長くされていたが、本発明の構成としては、図１２に示すように、光コネクタ１４の長さが、電気コネクタ１２の長さより長くされると共に、光ケーブル２４の長さが、電気ケーブル２２の長さより長くされることにより、光コネクタ１４の接続面１４Ｃから光電気ハイブリッドコネクタ１８の接続面１８Ｃまでの長さＬ１が、図１０（Ｂ）に示す間隔Ｔ１以上に、電気コネクタ１２の接続面１２Ｃから光電気ハイブリッドコネクタ１８の接続面１８Ｃまでの長さＬ２より長くなる構成であってもよい。
【００７７】
この構成においては、光コネクタ１４の接続面１４Ｃから光電気ハイブリッドコネクタ１８の接続面１８Ｃまでの長さＬ１は、図１０（Ｂ）に示す間隔Ｔ１に加えて、さらに、光コネクタ１４と電気コネクタ１２の長さの差分Ｔ２以上に（図８（Ａ）参照）、電気コネクタ１２の接続面１２Ｃから光電気ハイブリッドコネクタ１８の接続面１８Ｃまでの長さＬ２より長くなる構成であることが望ましい。この構成では、図８（Ｂ）に示すように、光ケーブル２４は、電気コネクタ１２の後端の位置まで、引っ張られる可能性があるため、長さＴ２分の余裕を持たせることで、光ケーブル２４が電気ケーブル２２側へ引っ張られた場合であっても、光ケーブル２４には、負荷がかからない。
【００７８】
また、光ケーブル２４の長さが、電気ケーブル２２の長さと等しくされ、光コネクタ１４の長さが、電気コネクタ１２の長さより長くされることにより、光コネクタ１４の接続面１４Ｃから光電気ハイブリッドコネクタ１８の接続面１８Ｃまでの長さＬ１が、図１０（Ｂ）に示す間隔Ｔ１以上に、電気コネクタ１２の接続面１２Ｃから光電気ハイブリッドコネクタ１８の接続面１８Ｃまでの長さＬ２より長くなる構成であってもよい。
【００７９】
また、光コネクタ１４の長さが、電気コネクタ１２の長さより短くされている構成において、光ケーブル２４の長さが、電気ケーブル２２の長さより長くされることにより、光コネクタ１４の接続面１４Ｃから光電気ハイブリッドコネクタ１８の接続面１８Ｃまでの長さＬ１が、図１０（Ｂ）に示す間隔Ｔ１以上に、電気コネクタ１２の接続面１２Ｃから光電気ハイブリッドコネクタ１８の接続面１８Ｃまでの長さＬ２より長くなる構成であってもよい。
【００８０】
また、本実施形態では、光ケーブル２４の長さが、電気ケーブル２２の長さよりも間隔Ｔ１以上長くされることにより、電気ケーブル２２と光ケーブル２４をそれぞれ伸張したとき、光コネクタ１４の接続面１４Ｃから光電気ハイブリッドコネクタ１８の接続面１８Ｃまでの長さＬ１が、図１０（Ｂ）に示す間隔Ｔ１以上に、電気コネクタ１２の接続面１２Ｃから光電気ハイブリッドコネクタ１８の接続面１８Ｃまでの長さＬ２より長くされていたが、光コネクタ１４の接続面１４Ｃから光電気ハイブリッドコネクタ１８の接続面１８Ｃまでの長さＬ１は、光コネクタ１４及び光ケーブル２４の全体の長さ（詳細には、コネクタ本体１４Ｂの長さ及び、光ケーブル２４の長さ）と、電気コネクタ１２及び電気ケーブル２２の全体の長さ（詳細には、コネクタ本体１２Ｂの長さ及び、電気ケーブル２２の長さ）と、が調整されることにより、電気コネクタ１２の接続面１２Ｃから光電気ハイブリッドコネクタ１８の接続面１８Ｃまでの長さＬ２より長くされていればよく、その長さが間隔Ｔ１以上長い場合に限られない。
【００８１】
また、上記の第１及び第２実施形態では、電気コネクタ１２及び光コネクタ１４は、それぞれ、別体で構成されていたが、本発明の電気コネクタ及び光コネクタとしては、これに限られず、例えば、図１３に示すように、電気コネクタ及び光コネクタが一体的に形成され、装置の光端子及び電気端子に同時に接続できる光電気ハイブリッドコネクタ１３であってもよい。なお、図１３には第１実施形態のみの変形例を示されているが、第２実施形態についても同様である。
【００８２】
また、上記の第１及び第２実施形態では、電気ケーブル２２及び光ケーブル２４は、それぞれ、別体で構成されていたが、本発明の電気ケーブル及び光ケーブルとしては、これに限られず、例えば、図１４に示すように、電気コネクタ又は光コネクタに至る途中まで、１つのケーブルとしてまとめられて形成される構成であってもよい。なお、図１４には第１実施形態のみの変形例を示されているが、第２実施形態についても同様である。
【００８３】
また、上記の第１及び第２実施形態では、電気ケーブル２２及び光ケーブル２４は、単一（一本）で構成されていたが、本発明の電気ケーブル及び光ケーブルとしては、これに限られず、例えば、図１５（Ａ）に示すように、複数本の電気ケーブル２２及び光ケーブル２４で構成されていてもよい。この場合おいては、図１５（Ｂ）に示すように、光ケーブル２４の長さは、電気コネクタ１２が電気ソケット２６に差し込まれると共に、光コネクタ１４が光ソケット２８に差し込まれたときにおける最も外側に位置する電気ケーブル２２と最も外側に位置する光ケーブル２４との間隔Ｔ３以上に、電気ケーブル２２の長さよりも長くされる。
【００８４】
これにより、電気ケーブル２２と光ケーブル２４をそれぞれ伸張したとき、第２装置４２に接続された光ケーブル２４の端部から光コネクタ１４の接続面１４Ｃまでの長さＬ１が、図１５（Ｂ）に示す間隔Ｔ３以上に、第２装置４２に接続された電気ケーブル２２の端部から電気コネクタ１２の接続面１２Ｃまでの長さＬ２より長くなる。
この構成によれば、光ケーブル２４が電気ケーブル２２側へ引っ張られた場合であっても、光ケーブル２４には、負荷がかからない。なお、図１５には第１実施形態のみの変形例を示されているが、第２実施形態についても同様である。
【００８５】
また、本発明は、上記の実施形態に限るものではなく、本発明の要旨を逸脱しない限りにおいて、種々の変形、変更、改良が可能である。
【図面の簡単な説明】
【００８６】
【図１】図１は、本発明の第１実施形態に係るコネクタ付ケーブルを示す斜視図である。
【図２】図２は、本実施形態に係るコネクタ付ケーブルのコネクタの例を示す図である。（Ａ）は、ラッチ機構タイプのコネクタを示し、（Ｂ）は、ネジ止め機構タイプのコネクタを示す。
【図３】図３（Ａ）は、第１実施形態に係るコネクタ付ケーブルにおいて、電気コネクタ及び光コネクタが第１装置と接続された様子を示す斜視図であり、図３（Ｂ）は、第１実施形態に係るコネクタ付ケーブルにおいて、電気コネクタ及び光コネクタが第１装置と接続された様子を示す正面図である。
【図４】図４は、第１実施形態に係るコネクタ付ケーブルを示す平面図である。
【図５】図５は、第１実施形態に係るコネクタ付ケーブルの変形例を示す平面図である。
【図６】図６は、第１実施形態に係るコネクタ付ケーブルにおいて、光ケーブル及び電気ケーブルが引っ張られたときの様子を示す斜視図である。
【図７】図７は、第１実施形態に係るコネクタ付ケーブルの変形例を示す平面図である。
【図８】図８（Ａ）は、第１実施形態に係るコネクタ付ケーブルにおいて、光コネクタの長さが電気コネクタの長さより長い場合の例を示す平面図であり、図８（Ｂ）は、図８（Ａ）の場合において、光ケーブル及び電気ケーブルが引っ張られたときの様子を示す平面図である。
【図９】図９は、本発明の第２実施形態に係るコネクタ付ケーブルを示す斜視図である。
【図１０】図１０（Ａ）は、第２実施形態に係るコネクタ付ケーブルにおいて、電気コネクタ及び光コネクタが第１装置と接続された様子を示す斜視図であり、図１０（Ｂ）は、第２実施形態に係るコネクタ付ケーブルにおいて、電気コネクタ及び光コネクタが第１装置と接続された様子を示す正面図である。
【図１１】図１１は、第２実施形態に係るコネクタ付ケーブルを示す平面図である。
【図１２】図１２は、第２実施形態に係るコネクタ付ケーブルの変形例を示す平面図である。
【図１３】図１３は、第１実施形態に係るコネクタ付ケーブルにおいて、光コネクタ及び電気コネクタの変形例を示す斜視図である。
【図１４】図１４は、第１実施形態に係るコネクタ付ケーブルにおいて、光ケーブル及び電気ケーブルの変形例を示す斜視図である。
【図１５】図１５は、第１実施形態に係るコネクタ付ケーブルにおいて、光ケーブル及び電気ケーブルの変形例を示す斜視図である。
【符号の説明】
【００８７】
１０   コネクタ付ケーブル
１２Ｃ 接続面
１２   電気コネクタ
１４   光コネクタ
１４Ｃ 接続面
１８   光電気ハイブリッドコネクタ
１８Ｃ 接続面
２１   第１装置
２２   電気ケーブル
２４   光ケーブル
４２   第２装置
４３   第２装置
５０   コネクタ付ケーブル
【図１】
2007165233.tif 000003
【図２】
2007165233.tif 000004
【図３】
2007165233.tif 000005
【図４】
2007165233.tif 000006
【図５】
2007165233.tif 000007
【図６】
2007165233.tif 000008
【図７】
2007165233.tif 000009
【図８】
2007165233.tif 000010
【図９】
2007165233.tif 000011
【図１０】
2007165233.tif 000012
【図１１】
2007165233.tif 000013
【図１２】
2007165233.tif 000014
【図１３】
2007165233.tif 000015
【図１４】
2007165233.tif 000016
【図１５】
2007165233.tif 000017